(57)【要約】【課題】構造がシンプルでありながらポールが簡単に落下することを防止できると共にポールの長さ調節を簡単に行うことができる室内用物干し装置を提供する。【解決手段】室内用物干し装置１０のベース１２には連結突起２０が対向して形成されている。ポール１４を構成する第１ポール体２２の上端部にはポール連結装置２４が取り付けられている。このポール連結装置２４のベース連結体２６には連結突起２０と係止可能な釣針状の連結溝２８が形成されている。ベース連結体２６にはポール連結体３８が取り付けられ、このポール連結体３８は前記第１ポール体２２と固定されている。また、第１ポール体２２の下端部にはポール１４の長さ調節を行うポール長さ調節装置５０が取り付けられている。前記第１ポール体２２には第１ポール体２２と共に前記ポール１４を構成する第２ポール体６２が出没可能に挿入されている。【選択図】図１
2008220447.tif 000002
【特許請求の範囲】
【請求項１】
取付部に固定されるベースと、このベースに垂下した状態で着脱可能に連結されるポールと、から構成される室内用物干し装置であって、
前記ベースに形成された連結突起と、前記ポールを構成する第１ポール体と、前記ポールを構成すると共に第１ポール体の一端部に取り付けられたポール連結装置と、このポール連結装置を構成すると共に前記連結突起と係止可能な連結溝が形成されたベース連結体と、前記ポール連結装置を構成すると共にベース連結体に遊嵌状態で取り付けられながら前記第１ポール体に取り付けられたポール連結体と、前記ポールを構成すると共に前記第１ポール体の他端部に出没可能に挿入された第２ポール体と、前記第１ポール体に取り付けられて前記第２ポール体の出没長さを調節できるポール長さ調節装置と、を有してなることを特徴とする室内用物干し装置。
【請求項２】
取付部に固定されるベースと、このベースに垂下した状態で着脱可能に連結されるポールと、から構成される室内用物干し装置であって、
前記ベースに形成された連結突起と、前記ポールを構成する第１ポール体と、前記ポールを構成すると共に第１ポール体の一端部に取り付けられたポール連結装置と、このポール連結装置を構成すると共に前記連結突起と係止可能な連結溝が形成されたベース連結体と、前記ポール連結装置を構成すると共にベース連結体に遊嵌状態で取り付けられながら前記第１ポール体に取り付けられたポール連結体と、前記第１ポール体に形成されたピン挿通孔と、前記ポールを構成すると共に前記第１ポール体の他端部に出没可能に挿入された第２ポール体と、この第２ポール体に形成されたピン挿入孔と、前記第１ポール体に取り付けられたポール長さ調節装置と、このポール長さ調節装置を構成すると共に前記第１ポールに取り付けられる調節装置筒体と、この調節装置筒体にスライド可能に設けられたスライドボタンと、このスライドボタンに内設されると共に前記ピン挿通孔に挿通可能で前記ピン挿入孔に挿入可能なピンと、前記スライドボタンに内設されて前記スライドボタンを付勢する付勢手段と、を有してなることを特徴とする室内用物干し装置。
【請求項３】
取付部に固定されるベースと、このベースに垂下した状態で着脱可能に連結されるポールと、から構成される室内用物干し装置であって、
前記ベースに形成された挿入筒部と、この挿入筒部の内周面に対向して形成された連結突起と、前記ポールを構成する第１ポール体と、前記ポールを構成すると共に前記第１ポール体の一端部に取り付けられたポール連結装置と、このポール連結装置を構成すると共に前記挿入筒部に挿入可能なベース連結体と、このベース連結体の外周面に平面視略釣針状に形成されると共に前記連結突起を係止できる一対の連結突起係止溝と、前記ポール連結装置を構成すると共にベース連結体に遊嵌状態で取り付けられながら前記第１ポール体に取り付けられたポール連結体と、前記第１ポール体に形成されたピン挿通孔と、前記ポールを構成すると共に前記第１ポール体の他端部に出没可能に挿入された第２ポール体と、この第２ポール体に形成されたピン挿入孔と、前記第１ポール体に取り付けられたポール長さ調節装置と、このポール長さ調節装置を構成すると共に前記第１ポールに取り付けられる調節装置筒体と、この調節装置筒体にスライド可能に設けられたスライドボタンと、このスライドボタンに内設されると共に前記ピン挿通孔に挿通可能で前記ピン挿入孔に挿入可能なピンと、前記スライドボタンに内設されると共に前記ピンに対向して設けられて前記スライドボタンを付勢する付勢手段と、を有してなることを特徴とする室内用物干し装置。
【発明の詳細な説明】
【技術分野】
【０００１】
本発明は、物干し装置に関し、詳しくは主に室内の天井等に取り付けられて洗濯物等を吊るしたハンガーや物干し竿等を係止する室内用物干し装置に関する。
【背景技術】
【０００２】
近年、家庭用乾燥機の普及や外気の汚染、あるいは外観維持の目的等の種々の理由から室内で洗濯物を干す家庭が増加している。
このため、これに伴い室内で洗濯物等を吊るすハンガーや物干し竿を係止する室内用物干し装置が提案されている（引用文献１）。
しかし、この室内用物干し装置は、吊下部を取り付ける固定部材を天井裏に設けられた野縁に固定すると共に天井に貫通孔を形成して吊下部を挿通させて、吊下部の上端に形成された鉤状の上部フック部を前記固定部材に係止させている。そして、前記吊下部の下端に形成された鉤状の下部フック部にハンガーや物干し竿を係止して取り付けている。
このため、この室内用物干し装置を設置する場合は固定部材を天井裏に設けられた野縁に固定する必要があると共に天井に吊下部を挿通させる貫通孔を形成する必要があるため、室内用物干し装置の設置作業が煩雑で大掛かりになるという不具合がある。
また、不注意等で前記吊下部に係止されているハンガーや物干し竿に当たって前記吊下部が動いたりすると、前記吊下部の上部フック部と固定部材の係止が外れて前記ポールや下部フック部に係止されていたハンガーや物干し竿までもが床に落下してしまうという不具合がある。
さらに、前記室内用物干し装置の吊下部はワンタッチで吊下部の長さの調節を行うことができないという不具合がある。
【特許文献１】特開２００４−６５７１５号公報
【発明の開示】
【発明が解決しようとする課題】
【０００３】
本発明は、上記事実に鑑みなされたものであり、設置作業を簡単に行うことができ、構造がシンプルでありながら垂下状態に連結されたポールが簡単に落下したりすることを防止できると共にポールの長さ調節をワンタッチで簡単に調節することができる室内用物干し装置を提供するものである。
【課題を解決するための手段】
【０００４】
請求項１の発明は、取付部に固定されるベースと、このベースに垂下した状態で着脱可能に連結されるポールと、から構成される室内用物干し装置であって、
前記ベースに形成された連結突起と、前記ポールを構成する第１ポール体と、前記ポールを構成すると共に第１ポール体の一端部に取り付けられたポール連結装置と、このポール連結装置を構成すると共に前記連結突起と係止可能な連結溝が形成されたベース連結体と、前記ポール連結装置を構成すると共にベース連結体に遊嵌状態で取り付けられながら前記第１ポール体に取り付けられたポール連結体と、前記ポールを構成すると共に前記第１ポール体の他端部に出没可能に挿入された第２ポール体と、前記第１ポール体に取り付けられて前記第２ポール体の出没長さを調節できるポール長さ調節装置と、を有してなることを特徴としている。
請求項２の発明は、取付部に固定されるベースと、このベースに垂下した状態で着脱可能に連結されるポールと、から構成される室内用物干し装置であって、
前記ベースに形成された連結突起と、前記ポールを構成する第１ポール体と、前記ポールを構成すると共に第１ポール体の一端部に取り付けられたポール連結装置と、このポール連結装置を構成すると共に前記連結突起と係止可能な連結溝が形成されたベース連結体と、前記ポール連結装置を構成すると共にベース連結体に遊嵌状態で取り付けられながら前記第１ポール体に取り付けられたポール連結体と、前記第１ポール体に形成されたピン挿通孔と、前記ポールを構成すると共に前記第１ポール体の他端部に出没可能に挿入された第２ポール体と、この第２ポール体に形成されたピン挿入孔と、前記第１ポール体に取り付けられたポール長さ調節装置と、このポール長さ調節装置を構成すると共に前記第１ポールに取り付けられる調節装置筒体と、この調節装置筒体にスライド可能に設けられたスライドボタンと、このスライドボタンに内設されると共に前記ピン挿通孔に挿通可能で前記ピン挿入孔に挿入可能なピンと、前記スライドボタンに内設されて前記スライドボタンを付勢する付勢手段と、を有してなることを特徴としている。
請求項３の発明は、取付部に固定されるベースと、このベースに垂下した状態で着脱可能に連結されるポールと、から構成される室内用物干し装置であって、
前記ベースに形成された挿入筒部と、この挿入筒部の内周面に対向して形成された連結突起と、前記ポールを構成する第１ポール体と、前記ポールを構成すると共に前記第１ポール体の一端部に取り付けられたポール連結装置と、このポール連結装置を構成すると共に前記挿入筒部に挿入可能なベース連結体と、このベース連結体の外周面に平面視略釣針状に形成されると共に前記連結突起を係止できる一対の連結突起係止溝と、前記ポール連結装置を構成すると共にベース連結体に遊嵌状態で取り付けられながら前記第１ポール体に取り付けられたポール連結体と、前記第１ポール体に形成されたピン挿通孔と、前記ポールを構成すると共に前記第１ポール体の他端部に出没可能に挿入された第２ポール体と、この第２ポール体に形成されたピン挿入孔と、前記第１ポール体に取り付けられたポール長さ調節装置と、このポール長さ調節装置を構成すると共に前記第１ポールに取り付けられる調節装置筒体と、この調節装置筒体にスライド可能に設けられたスライドボタンと、このスライドボタンに内設されると共に前記ピン挿通孔に挿通可能で前記ピン挿入孔に挿入可能なピンと、前記スライドボタンに内設されると共に前記ピンに対向して設けられて前記スライドボタンを付勢する付勢手段と、を有してなることを特徴としている。
【発明の効果】
【０００５】
本発明の室内用物干し装置は、取付部にはベースを取り付けるだけでよいので設置作業を簡単に行うことができるという優れた効果を有する。
また、本発明の室内用物干し装置は、シンプルな構造でありながら垂下状態に連結されたポールが簡単に落下したりすることを防止できるという優れた効果を有する。
また、本発明の室内用物干し装置は、垂下状態に設けられたポールの長さ調節をワンタッチで行うことができるという優れた効果を有する。
さらに、本発明の室内用物干し装置は、天井等の取付部に設置してもベースからポールを取り外すことにより室内の住人が受ける圧迫感をほとんど無くすことができるという優れた効果を有する。
【発明を実施するための最良の形態】
【０００６】
発明を実施するために最良の形態の例として以下のような実施例を示す。
【実施例１】
【０００７】
図１乃至図１１には本発明に係る室内用物干し装置の一実施例が示されている。
図１に示されるように、この実施例の室内用物干し装置１０は取付部としての天井Ａに固定されるベース１２と、このベース１２に垂下した状態で着脱可能に連結されるポール１４とから構成されている。
図２に示されるように、前記ベース１２の基盤部１６は円板状に形成されて前記天井Ａに密着当接した状態で図示しないネジ等の適宜固定手段によって天井Ａに固定されている。また、前記ベース１２はベース１２の外側に設けられるベースカバー１７によってカバーされている。
前記ベース１２の基盤部１６の中央部には挿入筒部１８が突設形成されている。この挿入筒部１８の内周面には連結突起２０，２０が対向して形成されている。
前記ポール１４を構成する第１ポール体２２はアルミパイプで形成されている。この第１ポール体２２の上端部にはポール連結装置２４が取り付けられている。
図３及び図４に示されるように、このポール連結装置２４のベース連結体２６は円柱状に形成されている。このベース連結体２６の先端部外周面には前記連結突起２０，２０と係止できる連結溝２８，２８（図３においては手前側の連結溝２８のみ示す）が前記連結突起２０，２０に対応して一対形成されている。
図３に示されるように、これら連結溝２８，２８は平面視略釣針状に形成されている。この連結溝２８の入口部２８Ａはベース連結体２６の先端面に形成され、突当部２８Ｂはベース連結体２６の先端部に形成されている。また、入口部２８Ａと突当部２８Ｂの間には第１折曲部２８Ｃ、第２折曲部２８Ｄが形成されている。
図２に示されるように、前記ベース連結体２６の他端面には漏斗状部３０が窪んで形成されている。また、前記ベース連結体２６の内部にはポール連結体挿入空洞部３２が形成されている。このポール連結体挿入空洞部３２にはポール連結体係止突起３４が突設されている。前記漏斗状部３０とポール連結体挿入空洞部３２はポール連結体挿通孔３６で連通されている。
前記ベース連結体２６にはベース連結体２６と共に前記ポール連結装置２４を構成するポール連結体３８が移動可能に取り付けられている。
このポール連結体３８の一端部には前記ポール連結体挿入空洞部３２に収容される略球状の球状連結部４０が形成されている。この球状連結部４０の外径寸法は前記ポール連結体挿入空洞部３２の内径寸法よりも僅かに小さく形成されているが前記ポール連結体挿通孔３６の内径寸法よりも大きく形成されている。このため、前記ポール連結体３８はポール連結体挿入空洞部３２に遊嵌されるようになっている。
前記球状連結部４０の頂部には係止凹部４２が形成されている。この係止凹部４２は前記ポール連結体係止突起３４と係止可能になっている。従って、前記ポール連結体係止突起３４が係止凹部４２に入り込むとベース連結体２６とポール連結体３８は一体になり（図２、図９、図１０に示す状態）、前記ポール連結体係止突起３４が係止凹部４２から外れるとベース連結体２６とポール連結体３８は互いにフリー状態になるようになっている（図１１に示す状態）。
図２に示されるように、前記ポール連結体３８の中間部にはテーパ部４４が形成されている。また、前記ポール連結体３８の他端部には円柱状のポール嵌合部４６が形成されている。このポール嵌合部４６が前記第１ポール体２２に嵌入され、これにより前記第１ポール体２２とポール連結装置２４は一体になっている。
図５及び図６に示されるように、前記第１ポール体２２の下部の一面にはノックピン挿通孔４８が１個形成されている。
図１に示されるように、前記第１ポール体２２の下端部にはポール長さ調節装置５０が外装状態で取り付けられている。
図５及び図６に示されるように、このポール長さ調節装置５０の調節装置筒体５２の貫通孔５４には前記第１ポール体２２の下端部が嵌入され、調節装置筒体５２は前記第１ポール体２２に固定状態になっている。この調節装置筒体５２にはスライドボタン５６が第１ポール体２２の長手方向と直交方向（図５、図６矢印Ａ，Ｂ方向）にスライド可能に設けられている。
図７に示されるように、このスライドボタン５６の外形形状は平面視略楕円形状に形成されている。このスライドボタン５６のプッシュ部５６Ａは少し突出して形成されている。
前記スライドボタン５６の内部には前記ノックピン挿通孔４８に挿通可能なピンとしてのノックピン５８が固定された状態で内蔵されている。また、前記スライドボタン５６の内部には前記ノックピン５８に対向して付勢手段収容部５９が形成され、この付勢手段収容部５９には前記スライドボタン５６を矢印Ｂ方向に付勢する付勢手段としてのスプリング６０が配設されている。
また、スライドボタン５６の内部には前記第１ポール体２２の外周面に密着して配設される一対のスライドガイド片６１，６１が設けられている。従って、前記スライドボタン５６はスライドガイド片６１，６１にガイドされて矢印Ａ，Ｂ方向にスライドするようになっている。
図５及び図６に示されるように、前記第１ポール体２２の下端部には第１ポール体２２と共に前記ポール１４を構成するアルミ棒で形成された第２ポール体６２がフィットした状態で出没可能に挿入されている。
この第２ポール体６２には前記ノックピン５８の先端部が挿入可能なノックピン挿入孔６４が形成されている。実施例では、このノックピン挿入孔６４は第１ポール体６２の長手方向に沿って間隔を設けて３個並んで穿設されている。従って、図８に示されるように、この実施例の室内用物干し装置１０のポール１４は長さ寸法を３段階調節できるようになっている。
図１及び図３に示されるように、前記第２ポール体６２の下端部には係止リング体６６が固定されている。この係止リング体６６には図示しないハンガーのフック部を係止したり、物干し竿を挿通することができるようになっている。
【０００８】
次に、実施例の室内用物干し装置１０の作用について説明する。
本発明に係る室内用物干し装置１０を使用する場合は、室内の天井Ａに予め適宜固定手段で固定されているベース１２にポール１４を連結する必要がある。
前記ベース１２にポール１４を連結する場合は前記第１ポール体２２に取り付けられているポール連結装置２４のベース連結体２６のポール連結体係止突起３４をポール連結体３８の係止凹部４２に挿入することによりベース連結体２６が動かないようにする（図２に示す状態）。
そして、ポール連結装置２４の連結溝２８，２８の入口部２８Ａ，２８Ａをベース１２の連結突起２０，２０に対応させてポール１４を押し上げてポール連結装置２４を挿入筒部１８に挿入する（図９に示す状態）。そして、連結突起２０が連結溝２８の第１折曲部２８Ｃに当たったらポール１４を周方向に回し、前記連結突起２０が第２折曲部２８Ｄに当たったら（図１０に示す状態）、ポール１４を引き下げる。これにより、連結突起２０は連結溝２８の突当部２８Ｂと当接して停止する（図１１に示す状態）。
この結果、ベース１２の係止突起２０がポール１４の連結溝２８の突当部２８Ｂに当たった状態になりベース１２とポール１４のポール連結装置２４は連結されるので、ポール１４をベース１２に簡単かつ迅速に取り付けて垂下させることができる。
そして、前記ポール１４の第２ポール体６２の係止リング体６６に洗濯物を吊り下げたハンガーのフック部を係止することにより洗濯物を干すことができる。
なお、前記ベース１２とポール１４は上述したようにベース１２の連結突起２０がポール１４のポール連結装置２４の釣針状の連結溝２８に収容されることにより連結されるので、室内を歩いていて不注意等で前記ポール１４に当たってポール１４が動いたりしてもベール１２とポール１４の連結が解除されることがないのでポール１４が落下してしまうような事態を防止できる。
また、前記ベース１２にポール１４を垂下させた場合、ベース連結体２６の他端面には漏斗状部３０が形成され、前記ポール連結体３８にはテーパ部４４が形成されているので、不注意等で前記ポール１４に当たったりしてもポール１４は容易に傾斜状態に動くため（図１１に示す状態）、ポール１４に当たった際のダメージを軽減することができる。
また、前記ポール１４の長さ調節を行いたい場合は、第１ポール体２２の下端部に設けられたポール長さ調節装置５０のスライドボタン５６のプッシュ部５６Ａを図矢印Ａ方向に押す。すると、スプリング６０は第１ポール２２とスライドボタン５６に押されて収縮するため第２ポール体６２のノックピン挿入孔６４に挿入されていたノックピン５８は前記ノックピン挿入孔６４から抜け出る（図５に示す状態）。
従って、第２ポール体６２を引くか押すかすることにより第２ポール体６２を第１ポール体２２に対して出没させることができる。そして、ノックピン５８とノックピン挿入孔６４が対応する位置にくるとノックピン５８は自動的にノックピン挿入孔６４に挿入し、スライドボタン５６は矢印Ｂ方向にスライドすると共に第２ポール体６２は停止する。
従って、前記スライドボタン５６をプッシュするだけのワンタッチ操作で図８に示すように前記ポール１４の長さ調節を行うことができる。
前記室内用物干し装置１０を使用しない場合等において前記ベース１２からポール１４を取り外す場合はポール１４を押し上げて第１ポール体２２に取り付けられているポール連結装置２４のポール連結体係止突起３４を係止凹部４２に挿入してベース連結体２６が動かないようにする。
そして、さらにポール１４を押し上げてベース１２の連結突起２０が第２折曲部２８Ｄに当たったらポール１４をベース１２に連結する場合と反対方向の周方向に回し、連結突起２０が第１折曲部２８Ｃに当たったらポール１４を下げれば連結突起２０は連結溝２８の入口部２８Ａから出る。これにより、ポール１４をベース１２から簡単かつ迅速に取り外すことができる。
なお、上述したように本発明の室内用物干し装置１０は天井Ａにベース１２を固定するだけでよく、天井Ａに貫通孔等を形成する必要はないので、室内用物干し装置１０の設置作業を容易に行うことができる。
また、本発明の室内用物干し装置１０はベース１２からポール１４を取り外すことにより、天井Ａに設置しても室内にいる住人に圧迫感を与えるようなことはない。
【０００９】
なお、実施例では第２ポール体６２にノックピン挿入孔６４を３個穿設してポール１４の長さ寸法を３段階調節できるようにしたが、第２ポール体６２に形成されるノックピン挿入孔６４の数は３個に限定されるものでないことは勿論である。
また、実施例では室内用物干し装置１０にハンガーを係止するために室内用物干し装置１０を１個取り付けた場合について説明したが、この室内用物干し装置１０を複数設置して物干し竿等を取り付けてもよいことは勿論である。
なお、実施例では室内用物干し装置１０を天井Ａに取り付けた場合を示したが、天井Ａ以外の取付部に設置してもよいことは勿論である。
【図面の簡単な説明】
【００１０】
【図１】実施例の室内用物干し装置の一部を省略した全体正面図である。
【図２】実施例の室内用物干し装置のベースとポール連結装置の縦断面図である。
【図３】実施例の室内用物干し装置のポールを短くした状態の側面図である。
【図４】実施例の室内用物干し装置のポール連結装置の平面図である。
【図５】実施例の室内用物干し装置のポールに取り付けられたポール長さ調節装置の縦断面図である。
【図６】実施例の室内用物干し装置のポールに取り付けられたポール長さ調節装置装置の縦断面図である。
【図７】実施例の室内用物干し装置のポールに取り付けられたポール長さ調節装置の横断面図である。
【図８】実施例の室内用物干し装置のポールの長さ調節した状態を示す側面図である。
【図９】実施例の室内用物干し装置のベースとポール連結装置の平面図と縦断面図である。
【図１０】実施例の室内用物干し装置のベースとポール連結装置の平面図と縦断面図である。
【図１１】実施例の室内用物干し装置のベースとポール連結装置の平面図と縦断面図である。
【符号の説明】
【００１１】
１０    室内用物干し装置
１２    ベース
１４    ポール
１８    挿入筒部
２０    連結突起
２２    第１ポール体
２４    ポール連結装置
２６    ベース連結体
２８    連結溝
３０    漏斗状部
３２    ポール連結体挿入空洞部
３４    ポール連結体係脱突起
３６    ポール連結体挿通孔
３８    ポール連結体
４０    球状連結部
４２    係止凹部
４４    テーパ部
４６    ポール嵌合部
４８    ノックピン挿通孔
５０    ポール長さ調節装置
５２    調節装置筒体
５６    スライドボタン
５８    ノックピン
６０    スプリング
６１    スライドガイド片
６２    第２ポール体
６４    ノックピン挿入孔
６６    係止リング
【図１】
2008220447.tif 000003
【図２】
2008220447.tif 000004
【図３】
2008220447.tif 000005
【図４】
2008220447.tif 000006
【図５】
2008220447.tif 000007
【図６】
2008220447.tif 000008
【図７】
2008220447.tif 000009
【図８】
2008220447.tif 000010
【図９】
2008220447.tif 000011
【図１０】
2008220447.tif 000012
【図１１】
2008220447.tif 000013